(57)【要約】【課題】本考案は、地震等の災害時に安全に緊急避難することのできる耐震避難用テーブルを提供することを目的とするものである。【解決手段】本考案は、上記の課題を解決するために、上下左右からなる矩形状の枠を上下前後左右の六面体状に連結した中空のフレーム２と、前記上フレーム２の上に載せた天板３と、前記下フレーム２の上に載せた底板４とからなり、災害時に前記フレーム２内に避難可能であることを特徴とする耐震避難用テーブル１の構成とした。【選択図】図１
0003139581.tif 000002
【実用新案登録請求の範囲】
【請求項１】
上下左右からなる矩形状の枠を上下前後左右の六面体状に連結した中空のフレームと、前記上フレームの上に載せた天板と、前記下フレームの上に載せた底板とからなることを特徴とする耐震避難用テーブル。
【請求項２】
フレーム各面の角に斜状の補強材を設けたことを特徴とする請求項１に記載の耐震避難用テーブル。
【請求項３】
天板の間に鉄板を入れたことを特徴とする請求項１又は２に記載の耐震避難用テーブル。
【請求項４】
底板から外側へ前後左右フレームの下枠の上を越えるように山型の保護板を着脱可能に取り付けたことを特徴とする請求項１乃至３のいずれかに記載の耐震避難用テーブル。
【請求項５】
下フレームの四隅に緩衝機構を設けたことを特徴とする請求項１乃至４のいずれかに記載の耐震避難用テーブル。
【請求項６】
前後左右フレームに側板を着脱可能に取り付けたことを特徴とする請求項１乃至５のいずれかに記載の耐震避難用テーブル。
【請求項７】
請求項１乃至６のいずれかに記載の耐震避難用テーブルを複数連結したことを特徴とする耐震避難用テーブル。
【考案の詳細な説明】
【技術分野】
【０００１】
本考案は、地震等の災害時に安全に緊急避難することのできる耐震避難用テーブルに関するものである。
【背景技術】
【０００２】
近年、建物の耐震強度を上回る大地震が各地で発生しており、どの地域においても、いつ地震が発生しても、建物の倒壊、家具の転倒、又は物の落下等から身を守れるように常日頃から備えておく必要がある。
【０００３】
特許文献１に記載されているように、地震時に安全な避難スペースを確保し、地震発生に伴う横揺れにより横方向に移動することを防止して、避難者が外部に投げ出されることを回避する地震避難用テーブルの発明も公開されている。
【特許文献１】特開２００６−３３３８８０号公報
【考案の開示】
【考案が解決しようとする課題】
【０００４】
しかしながら、特許文献１に記載の考案は、コンクリートブロックに固着するため、横揺れに対して横方向に移動することは防止できるが、揺れが直接に伝わるので、避難者が外部に投げ出される可能性がある。
【０００５】
そこで、本考案は、地震等の災害時に安全に緊急避難することのできる耐震避難用テーブルを提供することを目的とするものである。
【課題を解決するための手段】
【０００６】
本考案は、上記の課題を解決するために、上下左右からなる矩形状の枠を上下前後左右の六面体状に連結した中空のフレーム２と、前記上フレーム２の上に載せた天板３と、前記下フレーム２の上に載せた底板４とからなり、災害時に前記フレーム２内に避難可能であることを特徴とする耐震避難用テーブル１の構成とした。
【考案の効果】
【０００７】
本考案は、以上の構成であるから以下の効果が得られる。第１に、普段はテーブルとして使用でき、地震等の災害が発生したときにフレーム内に隠れることで、物が落下したとしても、天板で受け止めるため、内部の避難者を保護することができる。
【０００８】
第２に、木製等の天板の間に鉄板を入れて強度を上げておくことにより、物が落下してきても天板が割れたりすることがなくなるため、内部の避難者をより安全に保護することができる。
【０００９】
第３に、フレームの角に補強材を取り付けることで強度が増すので、家具等が倒れてきてもフレームは破壊されず、形状を維持することができるため、内部の避難者を保護することができる。
【００１０】
第４に、テーブルとして使用する場合に、フレームの側面から内部に脚を入れたとき、下枠が脚に当たり痛くないように保護板を掛けることで、使用者の身体的負担を取り除くことができる。
【００１１】
第５に、地震等の災害でフレーム内に避難した際に、揺れでフレームが浮き上がったとしても、緩衝機構により衝撃が吸収されるので、内部の避難者がフレームに激突したりするのを防止することができる。
【００１２】
第６に、脚を入れたり、避難時の入口として使用しない側面に対し、側板を取り付けて塞いでおくことで、避難時に避難者が内部から放り出されたり、外部から物が飛び込んでくるのを防止することができる。
【００１３】
第７に、耐震避難用テーブルを複数連結することにより、テーブルとして使用する領域を拡げることができると共に、避難スペースを大きくすることができ、より多くの避難者を保護することができる。
【考案を実施するための最良の形態】
【００１４】
本考案は、地震等の災害時に安全に緊急避難することのできる耐震避難用テーブルを提供するという目的を、フレーム各面の角に斜状の補強材を設け、底板から外側へ前後左右フレームの下枠の上を越えるように山型の保護板を着脱可能に取り付け、下フレームの四隅に緩衝機構を設けることで実現した。
【実施例１】
【００１５】
以下に、添付図面に基づいて、本考案である耐震避難用テーブルについて詳細に説明する。図１は、本考案である耐震避難用テーブルの斜視図である。耐震避難用テーブル１は、フレーム２と天板３と底板４とからなる。
【００１６】
図２は、本考案である耐震避難用テーブルのフレームの斜視図である。フレーム２は、上フレーム２ａ、下フレーム２ｂ、前フレーム２ｃ、後フレーム２ｄ、左フレーム２ｅ、及び右フレーム２ｆからなる六面体状の中空の枠体である。
【００１７】
前フレーム２ｃの上端に上フレーム２ａの手前側が直角に連設され、前フレーム２ｃの下端に下フレーム２ｂの手前側が直角に連設され、前フレーム２ｃの左端に左フレーム２ｅの手前側が直角に連設され、前フレーム２ｃの左端に右フレーム２ｆの手前側が直角に連設される。
【００１８】
また、後フレーム２ｄの上端に上フレーム２ａの奥側が直角に連設され、後フレーム２ｄの下端に下フレーム２ｂの奥側が直角に連設され、後フレーム２ｄの左端に左フレーム２ｅの奥側が直角に連設され、後フレーム２ｄの左端に右フレーム２ｆの奥側が直角に連設される。
【００１９】
図３は、本考案である耐震避難用テーブルのフレームの正面図である。正面の前フレーム２ｃについて説明するが、上フレーム２ａ、下フレーム２ｂ、後フレーム２ｄ、左フレーム２ｅ、及び右フレーム２ｆについても同様である。
【００２０】
前フレーム２ｃは、上枠２ｉ、下枠２ｊ、左枠２ｋ、及び右枠２ｌからなる内部が空いた矩形状の枠体である。４つの角には、内側から三角形状の補強材２ｇを斜めに取り付け、留具２ｈで固定する。
【００２１】
上枠２ｉは、鉄等の強度のある金属製で、長さが約７５０ミリメートル、幅が約５０ミリメートル、厚さが約６ミリメートルである。尚、下枠２ｊ、左枠２ｋ、及び右枠２ｌについても同様である。
【００２２】
上枠２ｉの左端に左枠２ｋの上端が直角に連設され、上枠２ｉの右端に右枠２ｌの上端が直角に連設され、下枠２ｊの左端に左枠２ｋの下端が直角に連設され、下枠２ｊの右端に右枠２ｌの下端が直角に連設される。
【００２３】
図４は、本考案である耐震避難用テーブルの天板の斜視図である。天板３は、上フレーム２ａの上に載せる厚手の板であり、テーブルとして使用する際の台となるため、表面は木や樹脂を素材としても良い。
【００２４】
図５は、本考案である耐震避難用テーブルの天板の縦断面図である。天板３は、上板３ａ、下板３ｂ、及び鉄板３ｃからなり、上板３ａと下板３ｂの間に鉄板３ｃを挟むことで、避難時に物が落下しても、天板３を破られないように補強する。
【００２５】
天板３は、上フレーム２ａと同サイズであるが、地震等の揺れで上フレーム２ａから外れて落下しないように、天板３の下面に上フレーム２ａの中央の空きに嵌るような突起物を設けて固定するのが望ましい。
【００２６】
図６は、本考案である耐震避難用テーブルの底板の斜視図である。底板４は、下フレーム２ｂの上に載せる薄手の板であり、テーブル時は足の置き場となり、避難時は避難者８が上に載るため、折れない程度の強度を要する。
【実施例２】
【００２７】
図７は、本考案である耐震避難用テーブルに保護板と緩衝機構を設けた場合の斜視図である。耐震避難用テーブル１ａは、テーブル時の使用を快適にするための保護板５と、避難時に安全性を高めるための緩衝機構６を設けたものである。
【００２８】
図８は、本考案である耐震避難用テーブルの横断面図である。保護板５は、前フレーム２ｃ、後フレーム２ｄ、左フレーム２ｅ、及び右フレーム２ｆに取り付け、緩衝機構６は、下フレーム２ｂの四隅に設置する。
【００２９】
図９は、本考案である耐震避難用テーブルの保護板の右側面図である。尚、前フレーム２ｃを右側から見た図で説明するが、後フレーム２ｄ、左フレーム２ｅ、及び右フレーム２ｆにおいても同様である。
【００３０】
保護板５は、薄い鉄板等を折り曲げ又は湾曲させて山型に成形したものであり、一端である接部５ｂを底板４に固定し、中央の山部５ａは前フレーム２ｃの下枠２ｊの上を越えるように通し、他端である端部５ｃをフレーム２の外側に出す。
【００３１】
尚、端部５ｃは、床面７に接するように載置するが、床面７には固定しない。即ち、耐震避難用テーブル１ａは、床面７に固定されない。また、接部５ｂは、着脱可能であり、必要な時のみ取り付けることができる。
【００３２】
保護板５の幅は任意であり、補強材２ｇまで掛かるように設けても良い。テーブル時に下枠２ｊが足を入れる際の邪魔となり難く、細い下枠２ｊが脚を押圧しなくなるため、快適に利用することができる。
【００３３】
図１０は、本考案である耐震避難用テーブルの緩衝機構の正面図である。尚、後フレーム２ｄと左フレーム２ｅの間の隅に設置したもので説明するが、他の隅に設置したものも同様である。
【００３４】
緩衝機構６は、ショックアブソーバーを用いて揺れや衝撃を吸収する。バネやオイルを用いてシリンダー６ａから飛び出したピストン６ｂが緩やかに戻るようにしたダンパー等により実現する。
【００３５】
図１１は、本考案である耐震避難用テーブルが浮き上がったときの緩衝機構を示す図である。シリンダー６ａを後フレーム２ｄ又は左フレーム２ｅの下部に固定し、下フレーム２ｂに貫通孔２ｍを空けて、ピストン６ｂが貫通孔２ｍを通過できるようにする。
【００３６】
地震等の縦揺れで下フレーム２ｂが床面７から浮き上がると、シリンダー６ａからピストン６ｂが延び、床面７に接地したピストン６ｂがゆっくりと元に戻ることで、衝撃が和らげられ、下フレーム２ｂが床面７に緩やかに着地する。
【００３７】
下フレーム２ｂの四隅において縦揺れを緩衝するので、避難者８はほとんど揺れを感じずに済み、安全に退避することができる。耐震避難用テーブル１ａ自体に揺れが伝わりづらいので、耐震避難用テーブル１ａ上に載っていた物も落下し難くなる。
【実施例３】
【００３８】
図１２は、本考案である耐震避難用テーブルに側板を設けた場合の斜視図である。耐震避難用テーブル１ｂは、壁側など使用しない側面に側板４ａを取り付ける。尚、後フレーム２ｄに取り付けた場合で説明するが、他の側面に取り付けた場合も同様である。
【００３９】
側板４ａは、底板４と同様に薄手の板であり、木製又は樹脂製又は金属製のいずれでも良い。補強材２ｇと同様に留具２ｈ等で側面に固定することができ、不要であれば容易に取り外すこともできる。
【００４０】
壁際など、脚を入れたり、避難時に入ることのない側面に対し、また、フレーム２内を見られたくない側に対し、側板４ａを取り付ける。尚、側板４ａの代わりにカーテンのようなものを掛けることも可能である。
【００４１】
側板４ａを取り付けておくと、地震等で横揺れを受けても、側板４ａを取り付けた側面からは避難者８が放り出されたり、外部から物が飛び込んでくる心配がなくなり、安全性が向上する。
【００４２】
図１３は、本考案である耐震避難用テーブルの避難時の状況を示す図である。地震等の災害時に耐震避難用テーブル１、１ａ、１ｂの内部へ避難者８が入ることで、落下物等から身を守ることが可能である。
【実施例４】
【００４３】
図１４は、本考案である耐震避難用テーブルを連結した場合の斜視図である。耐震避難用テーブル１ｃは、耐震避難用テーブル１、１ａ、１ｂを複数連結することにより、テーブルとして使用する領域を拡げたものである、
【００４４】
留具２ｈで耐震避難用テーブル１、１ａ、１ｂ同士を接続することにより、任意のサイズに拡げることが可能である。サイズ拡張に伴い、避難スペースも大きくすることができ、より多くの避難者を保護することができる。
【図面の簡単な説明】
【００４５】
【図１】本考案である耐震避難用テーブルの斜視図である。
【図２】本考案である耐震避難用テーブルのフレームの斜視図である。
【図３】本考案である耐震避難用テーブルのフレームの正面図である。
【図４】本考案である耐震避難用テーブルの天板の斜視図である。
【図５】本考案である耐震避難用テーブルの天板の縦断面図である。
【図６】本考案である耐震避難用テーブルの底板の斜視図である。
【図７】本考案である耐震避難用テーブルに保護板と緩衝機構を設けた場合の斜視図である。
【図８】本考案である耐震避難用テーブルの横断面図である。
【図９】本考案である耐震避難用テーブルの保護板の右側面図である。
【図１０】本考案である耐震避難用テーブルの緩衝機構の正面図である。
【図１１】本考案である耐震避難用テーブルが浮き上がったときの緩衝機構を示す図である。
【図１２】本考案である耐震避難用テーブルに側板を設けた場合の斜視図である。
【図１３】本考案である耐震避難用テーブルの避難時の状況を示す図である。
【図１４】本考案である耐震避難用テーブルを連結した場合の斜視図である。
【符号の説明】
【００４６】
１        耐震避難用テーブル
１ａ      耐震避難用テーブル
１ｂ      耐震避難用テーブル
１ｃ      耐震避難用テーブル
２        フレーム
２ａ      上フレーム
２ｂ      下フレーム
２ｃ      前フレーム
２ｄ      後フレーム
２ｅ      左フレーム
２ｆ      右フレーム
２ｇ      補強材
２ｈ      留具
２ｉ      上枠
２ｊ      下枠
２ｋ      左枠
２ｌ      右枠
２ｍ      貫通孔
３        天板
３ａ      上板
３ｂ      下板
３ｃ      鉄板
４        底板
４ａ      側板
５        保護板
５ａ      山部
５ｂ      接部
５ｃ      端部
６        緩衝機構
６ａ      シリンダー
６ｂ      ピストン
７        床面
８        避難者
【図１】
0003139581.tif 000003
【図２】
0003139581.tif 000004
【図３】
0003139581.tif 000005
【図４】
0003139581.tif 000006
【図５】
0003139581.tif 000007
【図６】
0003139581.tif 000008
【図７】
0003139581.tif 000009
【図８】
0003139581.tif 000010
【図９】
0003139581.tif 000011
【図１０】
0003139581.tif 000012
【図１１】
0003139581.tif 000013
【図１２】
0003139581.tif 000014
【図１３】
0003139581.tif 000015
【図１４】
0003139581.tif 000016